(57)【特許請求の範囲】
【請求項１】
連続的に駆動される構造部材の係脱自在の係止ロック機構であって、ズーム調節のための駆動ユニットと、駆動シャフトに該駆動シャフトの軸線と直交するよう設けた係止デイスクと、係止バネとを有し、バネとデイスクとの間にボールを設けた形式のものにおいて、
係止バネ（４）が、略デイスク状に構成され、機器に固定して設けてあり、
係止デイスク（３）が、駆動シャフト（２）に結合、固定され、かつ並置された所定のミゾ（８）を有し、
係止バネ（４）と係止デイスク（３）との間には、開口（７）を備えた係止スライダ（５）が設けてあり、
係止バネ（４）と係止デイスク（３）との間にボール（６）が、係止スライダ（５）の開口（７）内に配され、該ボール（６）は、係止スライダ（５）を介して係止デイスク（３）のミゾ（８）に導入されることを特徴とする係脱自在の係止ロック機構。
【請求項２】
ボール（６）の案内のため、係止バネ（４）には、広い開口（９ｂ）に続くミゾ（９ａ）が設けてあることを特徴とする請求項１の係脱自在の係止ロック機構。
【請求項３】
係止バネ（４）のミゾ（９ａ）が、係止デイスク（３）のミゾ（８）よりも広く構成されていることを特徴とする請求項２の係脱自在の係止ロック機構。
【請求項４】
係止バネ（４）が、デイスク状板バネとして構成されていることを特徴とする請求項１−３の少なくとも１つに記載の係脱自在の係止ロック機構。
【請求項５】
係止デイスク（３）が、弾性要素として構成されていることを特徴とする請求項１−４の少なくとも１つに記載の係脱自在の係止ロック機構。
【請求項６】
係止バネ（４）の代わりに、ロック機構（１）の機器固定部分（１０）には、ボール受容のためのミゾが並置して設けてあることを特徴とする請求項５の係脱自在の係止ロック機構。
【請求項７】
前記連続的に駆動される構造部材は、顕微鏡の連続作動ズーム機構を所定の倍率に調節するための構造部材であることを特徴とする請求項１〜６の一に記載の係脱自在の係止ロック機構。
【発明の詳細な説明】
【０００１】
【発明が属する技術分野】
本発明は、連続的に駆動される構造部材のための係脱自在の係止ロック機構に関する。本発明は、特に請求項１の前置部に記載のかかる係止ロック機構であって連続的に駆動される構造部材の係脱自在の係止ロック機構であって、ズーム調節のための駆動ユニットと、駆動シャフトに該駆動シャフトの軸線と直交するよう設けた係止デイスクと、係止バネとを有し、バネとデイスクとの間にボールを設けた形式のものに関する。
【０００２】
【従来の技術】
この種の係止ロック機構は、例えば、連続的に作動するズーム機構を有する顕微鏡に使用される。対象の写真作成の場合、しばしば、顕微鏡の所定の倍率を設定する必要がある。連続作動式ズーム系の場合、この再現可能なズーム設定値は、不十分な精度で調節できるに過ぎない。従って、公知のズーム系は、連続に作動するズーム機構を解除し、その際、倍率設定部材を所定位置にセットする補足の係止ロック機構を有する。
【０００３】
ズーム機構を有する立体顕微鏡の場合、ミゾを備えた係止デイスクに板バネを半径方向へ作用させることによって、係止を行うものがある。別の系の場合、板バネの代わりに、係止ボルトに軸線方向へ作用する圧縮バネが設けたものもある。
【０００４】
双方の系は、ネジ山を介して係止要素に伝達される回転運動によって係止作用をオン・オフ（係合・解除）するという原理に依拠する。
【０００５】
別の公知の顕微鏡の場合、係止装置は、回転自在に構成されたズーム・ノブに設けてある。バネ負荷を受ける係止ボルトを介して、架台に不動に星状に配置されたミゾに係止ボルトを係合させることができる。係止ロック機構のオン・オフ（係合および解除）は、係止ボルトの回転によって行う。この場合、くさび状要素が、傾斜（カム）面を介して係止ボルトを駆動する。
【０００６】
上述の係止ロック機構の簡単な実施例は、マックス・ポラーマンの文献  Ｍａｘ  Ｐｏｌｌｅｒｍａｎｎ，“Ｂａｕｅｌｅｍｅｎｔ  ｄｅｒ  ｐｈｙｓｉｋａｌｉｓｃｈｅｎ  Ｔｅｃｈｎｉｋ”，Ｓｐｒｉｎｇｅｒ  Ｖｅｒｌａｇ社、１９５５，ｐ９５，表題“５．４．Ｓｃｈａｌｔ−ｕｎｔ  Ｒｅｇｅｌｅｌｅｍｅｎｔｅ”に記載されている。
【０００７】
【発明が解決しようとする課題】
公知のすべての係止装置には、所望の機能を実現するには高価な機構が必要であり、この場合、人間工学的に好適な操作が保証されないという欠点がある。
【０００８】
従って、本発明の課題は、公知の先行技術から出発して、係脱自在の係止ロック機構の機械的構造を簡単化すると共に、人間工学的に好適な操作を保証することにある。
【０００９】
【課題を解決するための手段】
この課題は、請求項１の特徴記載部分に開示の特徴によって解決される。即ち、本発明の係脱自在の係止ロック機構は係止バネが、略デイスク状に構成され、機器に固定して設けてあり、係止デイスクが、駆動シャフトに結合、固定され、かつ並置された所定のミゾを有し、係止バネと係止デイスクとの間には、開口を備えた係止スライダが設けてあり、係止バネと係止デイスクとの間にボールが、係止スライダの開口内に配され、該ボールは、係止スライダを介して係止デイスクのミゾに導入されることを特徴とする。
【００１０】
【発明の実施の形態】
本発明の別の有利な実施の形態を従属請求項に示す。
【００１１】
ボールの案内のため、係止バネには、広い開口に続くミゾが設けてある（請求項２）。
【００１２】
係止バネのミゾが、係止デイスクのミゾよりも広く構成されている（請求項３）。
【００１３】
係止バネが、デイスク状板バネとして構成されている（請求項４）。
【００１４】
係止デイスクが、弾性要素として構成されている（請求項５）。
【００１５】
係止バネの代わりに、ロック機構の機器固定部分には、ボール受容のためのミゾが並置して設けてある（請求項６）。
【００１６】
前記連続的に駆動される構造部材は、顕微鏡の連続作動ズーム機構を所定の倍率に調節するための構造部材である（請求項７）。
【００１７】
【実施例】
略図に示した本発明の一実施例を詳細に説明する。
【００１８】
図１に、係止ロック機構１、顕微鏡の機器固定部分１０およびズーム調節用操作ノブ（図示してない）を固定した駆動シャフト２の平面図を示した。機器固定の部分１０には、ネジ１１によって、係止バネ４が固定されている。係止バネ４は、ボール６を受容する開口９を有する。開口９の形状は、任意に構成できる。バネ４の外縁において、開口９は、ボールの径よりも小さい巾を有するミゾ９ａの形状を有し、従って、ボール６は、上記範囲において、開口９上を走行する。ミゾ９ａには、ボールの径よりも大きく設計された径を有するより大きい円形開口９ｂが続いており、従って、円形開口９ｂによってボール６を受容できる。
【００１９】
図２に、係止ロック機構１の別の平面図を示した。機器固定の部分１０から出発して上方に、係止バネ４、ボール６を案内する開口７を有するスライダ５および係止デイスク３が順次設けてある。係止スライダ５は、駆動シャフト２の範囲に、長穴１２を有し、長穴１２およびシャフト２にわたって二重矢印の方向へ可動なよう構成されている。双方のトング（舌状突部）１３は、係止スライダ５を駆動するための取手として役立つ。
【００２０】
係止デイスク３は、駆動シャフト２に結合、固定されている。係止デイスク３は、その外周面に、ボール６を受容する複数の並置のミゾ８を有する。ミゾ８の配置は、それぞれ、所定のズーム設定値に対応する。
【００２１】
作用位置にあるミゾ８は、開口９のミゾ状部分９ａの直上に配置される。機器に不動に設けた係止バネ４のバネ作用によって、ボール６は、係止デイスク３の１つのミゾ８の作用位置に押し込まれる。この力／形状結合、即ち摩擦力／かみあいによる係合によって、駆動シャフト２の回転が明確に阻止される。ミゾ８は、ボール径よりも小さく設計されているので、駆動シャフト２を更に回転すると、上記の係合が再び解除され、従って、隣接のミゾ８が、ボール６に対する作用位置に来る。
【００２２】
この係止作用は、係止スライダ５の摺動によって、再び解除される。ボール６は、スライダ５の開口７を介して強制案内され、従って、スライダ５を二重矢印の方向へ駆動した際、ボール６は、開口９のミゾ状部分９ａから大径の丸い部分９ｂに移行される。この丸い部分９ｂは、ボール６をほぼ完全に受容でき、従って、係止バネ４のバネ作用がほぼ消失されるよう、設計されている。なおこの場合、ボール中心から駆動シャフトの回転軸線までの距離は、ミゾ８の頂点から回転軸線までの距離よりも小さく設定される。この場合、ボール６は、係止デイスク３の対応するミゾ８と係合せず、駆動シャフト２は、ズーム調節のため、再び連続的に回転できる。
【００２３】
図３に、係止ロック機構１の断面図を示した。図３から明らかな如く、ボール６は、スライダ５の開口７に案内され、ミゾ状部分９ａおよびミゾ８の寸法は、ボール径よりも本質的に小さい。ボール径とミゾ寸法との比は、駆動シャフト２を介する係止位置変更に必要とされる力の所要量を決定する。
【００２４】
本発明に係る係脱自在の係止ロック機構の図示の上記実施例は、簡単な構造以外に、人間工学的に好適な構成を特徴とする。なぜならば、所定の係止位置を“セット”するための係止スライダが、直接、操作ノブあるいはその駆動シャフトに設けてあるからである。係止機構の係脱のため、簡単な指圧によってトングを介してスライダを駆動できる。  本発明は、もちろん、図示し説明した実施例に限定されるものではない。本発明の枠内において、係止デイスクを弾性要素として構成し、この場合、開口を係止バネにではなく、顕微鏡またはロック機構の機器固定部分に直接に設けることができる。このような構成の場合、係止バネは不要である。
【００２５】
【発明の効果】
本発明の基本的特徴（請求項１）により、係脱自在のロック機構は構造が単純化されると共に解除時は連続的駆動ができ、しかも、ノブの外周に突出する係止スライダによって、ノブを握る指先で係止スライダーを摺動させて直ちに係脱操作ができる。即ち人間工学的にも操作性が高い。
【００２６】
各従属請求項は、これに加えてさらに各個有の利点を与えるが、その詳細は、実施例において示す通りである。本発明の係止ロック機構は特に、顕微鏡連続作動的ズーム機構の倍率調節に適する（請求項７）。
【図面の簡単な説明】
【図１】係止バネを有する係止ロック機構の一実施例の係止バネの面を示す平面図である。
【図２】係止バネ、スライダおよび係止デイスクを有する係止ロック機構の図１に示す実施例の平面図である。
【図３】図１、２に示す係止ロック機構の断面図である。
【符号の説明】
１  係止ロック機構
２  駆動シャフト
３  係止デイスク
４  係止バネ
５  係止デイスク
６  ボール
７  ５の開口
８  ３のミゾ
９  ４の開口
９ａ  ９のミゾ状部分
９ｂ  ９の円形部分
１０  駆動ユニットの機器固定部分
１１  ネジ
１２  ５の長穴
１３  ５の突部
【図１】
0003616175.tif 000002
【図２】
0003616175.tif 000003
【図３】
0003616175.tif 000004